(57)【要約】      （修正有）【課題】ユーザが楽しめる要素を提供し、ユーザメリットが高い電子チケットシステムおよび電子チケットを提供する。【解決手段】施設の利用に用いられる電子チケット２と、電子チケット２と通信を行う情報管理装置３、４と、から成る電子チケットシステム１であって、情報管理装置３、４は、電子チケット２に抽選実行情報を送信する情報送信手段１３を備え、電子チケット２は、情報管理装置３、４から抽選実行情報を受信する情報受信手段４１と、抽選実行情報の受信をトリガとして、抽選を行う抽選手段４３と、抽選結果を記憶する記憶手段５２と、記憶した抽選結果を表示する表示手段４７と、を備える。【選択図】図１
2009271688.tif 000002
【特許請求の範囲】
【請求項１】
施設の利用に用いられる電子チケットと、前記電子チケットと通信を行う情報管理装置と、から成る電子チケットシステムであって、
前記情報管理装置は、
前記電子チケットに抽選実行情報を送信する情報送信手段を備え、
前記電子チケットは、
前記情報管理装置から前記抽選実行情報を受信する情報受信手段と、
前記抽選実行情報の受信をトリガとして、抽選を行う抽選手段と、
前記抽選結果を記憶する記憶手段と、
記憶した前記抽選結果を表示する表示手段と、を備えたことを特徴とする電子チケットシステム。
【請求項２】
前記記憶手段は、
前記電子チケットの有効期限を示す有効期限情報をさらに記憶し、
前記情報管理装置は、
前記有効期限情報を読み取る読み取り手段と、
読み取った前記有効期限情報に基づいて、当該電子チケットが有効か否かを判別する判別手段と、
前記判別手段により、当該電子チケットが無効であると判定した場合、その旨を報知する報知手段と、をさらに備え、
前記情報送信手段は、
前記判別手段により、当該電子チケットが有効であると判定した場合、前記電子チケットに対して前記抽選実行情報を送信することを特徴とする請求項１に記載の電子チケットシステム。
【請求項３】
前記情報管理装置は、
前記電子チケットの所有者に対する案内情報を送信する案内情報送信手段をさらに備え、
前記電子チケットは、
前記案内情報を受信する案内情報受信手段をさらに備え、
前記表示手段は、前記案内情報を表示することを特徴とする請求項１または２に記載の電子チケットシステム。
【請求項４】
前記記憶手段は、抽選結果が「当選」である旨を示す当選情報をさらに記憶し、
前記抽選手段は、前記記憶手段に前記当選情報が記憶されている場合、前記抽選実行情報の受信による抽選を行わないことを特徴とする請求項１ないし３のいずれか１項に記載の電子チケットシステム。
【請求項５】
前記抽選手段は、前回の抽選後、所定時間以内に次の抽選実行情報を受信した場合、当該抽選実行情報の受信による抽選を行わないことを特徴とする請求項１ないし４のいずれか１項に記載の電子チケットシステム。
【請求項６】
前記記憶手段は、前記施設の利用回数を示す利用回数情報をさらに記憶し、
前記電子チケットは、
前記情報受信手段により、前回の抽選実行情報を受信してから所定時間を超えた前記抽選実行情報を受信する毎に、前記利用回数を更新し、
前記表示手段は、前記抽選結果と共に前記利用回数を表示することを特徴とする請求項１ないし５のいずれか１項に記載の電子チケットシステム。
【請求項７】
前記電子チケットは、カード型の媒体であることを特徴とする請求項１ないし６のいずれか１項に記載の電子チケットシステム。
【請求項８】
前記表示手段は、電子ペーパーで形成されていることを特徴とする請求項１ないし７のいずれか１項に記載の電子チケットシステム。
【請求項９】
請求項１ないし８のいずれか１項に記載の電子チケットシステムに用いられることを特徴とする電子チケット。
【発明の詳細な説明】
【技術分野】
【０００１】
本発明は、施設等を使用する際に用いる電子チケットを利用した電子チケットシステムおよび電子チケットに関するものである。
【背景技術】
【０００２】
従来、表示面に表示する情報を書換えることが可能な非接触型ＩＣカードが知られている。この非接触型ＩＣカードは、カード本体に内蔵した非接触型ＩＣモジュール（ＩＣ部）と、カード本体の表面に層設された書換え可能なリライト層（リライト部）とを備えている。そして、ＩＣ部に記憶された情報を書換えると共に、当該情報をリライト部に表示することで、逐次表示内容を変更することができる（例えば、特許文献１参照）。また、特許文献１の図１には、この非接触型ＩＣカードの使用例として、施設や交通機関の利用等に用いられるチケットが例示されている。
【特許文献１】特開平７−１２５４８３号公報
【発明の開示】
【発明が解決しようとする課題】
【０００３】
ところで、上記のように非接触型ＩＣカードをチケット（電子チケット）として使用する場合、一般的に、施設等に入場する際の入場用のパスとして用いられる。これにより、企業側は、従来のようなチケットを確認してもぎ取る係員を大幅に削減することができ、人件費の削減を図ることができる。また、ＩＣカードの情報を書き換えることでチケット再利用することができ、チケットを印刷する費用や紙代が不要となりコストを削減できる。このように、ＩＣカードを電子チケットとして用いることで、企業側にとってのメリットは大きい。しかしながら、ユーザ側にとっては、単なる入場用パスであり、殆どメリットがない。このため、ユーザが楽しむことができ、ユーザにとってメリットのある電子チケットの効果的な利用方法を提供することが求められている。
【０００４】
本発明は、上記の問題に鑑み、ユーザが楽しめる要素を提供し、ユーザメリットが高い電子チケットシステムおよび電子チケットを提供することを目的とする。
【課題を解決するための手段】
【０００５】
本発明の電子チケットシステムは、施設の利用に用いられる電子チケットと、電子チケットと通信を行う情報管理装置と、から成る電子チケットシステムであって、情報管理装置は、電子チケットに抽選実行情報を送信する情報送信手段を備え、電子チケットは、情報管理装置から抽選実行情報を受信する情報受信手段と、抽選実行情報の受信をトリガとして、抽選を行う抽選手段と、抽選結果を記憶する記憶手段と、記憶した抽選結果を表示する表示手段と、を備えたことを特徴とする。
【０００６】
この構成によれば、情報管理装置から電子チケットに対して抽選実行情報(例えば、抽選実行を指示するコマンド等)を送信する。電子チケットは、この抽選実行情報の受信をトリガとして抽選を行い、その抽選結果を記録すると共に、表示手段に表示する。例えば、情報管理装置を入場ゲート付近に設置し、電子チケットを所持するユーザが入場ゲートを通過する際に、電子チケットの表示画面に抽選結果を表示することで、ユーザはリアルタイムな楽しみを享受することができる。また、抽選結果が「当選」を示す内容であれば、景品交換や割引券の発行などの特典をつけることで、さらにユーザの興味を惹くことができ、この結果、集客率の向上（リピータの増加等）が期待できる。このように、電子チケットに抽選手段を設けることで、ユーザ側および企業側のいずれにとっても十分なメリットを見出すことができる。なお、抽選方法としては、スロットのように３桁の数字（あるいは図柄）を表示し、その数字（図柄）の並びにより「当選（例えば、「７７７」）」／「はずれ（例えば、「７７７」以外）」を決定することが考えられる。
【０００７】
本発明の電子チケットシステムにおいて、記憶手段は、電子チケットの有効期限を示す有効期限情報をさらに記憶し、情報管理装置は、有効期限情報を読み取る読み取り手段と、読み取った有効期限情報に基づいて、当該電子チケットが有効か否かを判別する判別手段と、判別手段により、当該電子チケットが無効であると判定した場合、その旨を報知する報知手段と、をさらに備え、情報送信手段は、判別手段により、当該電子チケットが有効であると判定した場合、電子チケットに対して抽選実行情報を送信することが好ましい。
【０００８】
この構成によれば、有効期限に基づいて電子チケットが有効か否かを判別し、有効である場合にのみ、抽選実行情報を送信する。これにより、有効な電子チケットを所持するユーザにのみに抽選の権利を与えることができる。また、電子チケットが無効であると判定した場合に、その旨を報知することで、不正な電子チケットの検出を行うことができる。
【０００９】
本発明の電子チケットシステムにおいて、情報管理装置は、電子チケットの所有者に対する案内情報を送信する案内情報送信手段をさらに備え、電子チケットは、案内情報を受信する案内情報受信手段をさらに備え、表示手段は、案内情報を表示することが好ましい。
【００１０】
この構成によれば、電子チケットの所有者に対して、案内情報を表示する。例えば、電子チケットシステムがスキー場において採用された場合、リフト等の運転情報、現在のレストランの状況、各コース（上級者コース、中級者コース、初心者コース等）の説明等を表示することで、ユーザはこれら情報を簡単に確認することができる。
【００１１】
本発明の電子チケットシステムにおいて、記憶手段は、抽選結果が「当選」である旨を示す当選情報をさらに記憶し、抽選手段は、記憶手段に当選情報が記憶されている場合、抽選実行情報の受信による抽選を行わないことが好ましい。
【００１２】
この構成によれば、１のユーザが何回も当選することを防止する。これにより、ユーザ間で当選回数に開きができることで、不公平感が生じる事を防止することができる。つまり、全てのユーザに対して公平なサービスを提供することができる。
【００１３】
本発明の電子チケットシステムにおいて、抽選手段は、前回の抽選後、所定時間以内に次の抽選実行情報を受信した場合、当該抽選実行情報の受信による抽選を行わないことが好ましい。
【００１４】
この構成によれば、前回の抽選後、所定時間経過しなければ次の抽選を行わない。つまり、所定時間内に連続して抽選が行われることを防止する。例えば、情報管理装置を入場ゲート付近に設置した場合、「当選」が出るまで入場ゲートを往復する等して、不正に抽選を実行させることを防止することができる。
【００１５】
本発明の電子チケットシステムにおいて、記憶手段は、施設の利用回数を示す利用回数情報をさらに記憶し、電子チケットは、情報受信手段により、前回の抽選実行情報を受信してから所定時間を超えた抽選実行情報を受信する毎に、利用回数を更新し、表示手段は、抽選結果と共に利用回数を表示することが好ましい。
【００１６】
この構成によれば、電子チケットに施設の利用回数を表示する。例えば、スキー場においては、リフトの利用回数を表示することで、ユーザは、自分がリフトを何回利用したのかを容易に把握することができる。また、前回の抽選実行情報を受信してから所定時間を超えた抽選実行情報を受信した場合に、利用回数を更新することで、例えば、ユーザがリフトのゲート付近を往復した場合でも、誤った利用回数をカウントすることがない。
【００１７】
本発明の電子チケットシステムにおいて、電子チケットは、カード型の媒体であることが好ましい。
【００１８】
この構成によれば、電子チケットは、カード型の形状に形成されている。これにより、一般的に普及しているチケット（入場券）の代わりとして違和感無く利用することができる。また、邪魔にならず、利便性が良い。
【００１９】
本発明の電子チケットシステムにおいて、表示手段は、電子ペーパーで形成されていることが好ましい。
【００２０】
この構成によれば、電子チケットの表示手段は、電子ペーパーで形成されている。これにより、表示内容の書き換え時のみ微小電力を必要とするだけで、表示内容を維持するための電力は不要となり、省電力で画面表示を行うことができる。
【００２１】
本発明の電子チケットは、上記に記載の電子チケットシステムに用いられることを特徴とする。
【００２２】
本発明の電子チケットを用いることにより、ユーザにリアルタイムな楽しみを提供することができる電子チケットシステムを提供できる。
【発明を実施するための最良の形態】
【００２３】
以下、添付の図面を参照して、本発明の一実施形態に係る電子チケットシステムおよび電子チケットについて説明する。なお、本実施形態に係る電子チケットとして、スキー場（施設）で用いられるリフト券を例に挙げて説明する。
【００２４】
図１は、本発明の一実施形態に係る電子チケットシステム１の構成を示すブロック図である。本実施形態の電子チケットシステム１は、ユーザが所持する電子チケット２と、スキー場（施設）に関する案内情報を管理する情報管理サーバ３と、電子チケット２および情報管理サーバ３と通信を行うゲート装置４と、から構成されている。なお、請求項における情報管理装置は、上記の情報管理サーバ３およびゲート装置４から構成されるものである。また、電子チケット２は、スキー場の係員（またはユーザ自身）により、図示しないチケット発行窓口（または、チケット発行装置）で発行されるものとする。
【００２５】
情報管理サーバ３は、制御部１１、記憶部１２、通信部１３（情報送信手段、案内情報送信手段）、計時部１４、認証部１５（判別手段）の他、一般的なパーソナルコンピュータに搭載されるハードウェア構成を有している。制御部１１は、ＣＰＵ２１、ＲＯＭ２２およびＲＡＭ２３を有し、情報管理サーバ３全体を制御する。ＲＯＭ２２は、ＣＰＵ２１が各種処理を実行するための制御プログラムや制御データを記憶する。また、ＲＡＭ２３は、ＣＰＵ２１が各種処理を実行する際の作業領域として利用される。
【００２６】
記憶部１２は、案内情報データベース２４を有している。案内情報データベース２４には、スキー場に関するイベント情報、スキー場内の施設（レストラン等）の混雑情報、リフト（または、ゴンドラ等）の運転情報、および各コース（上級者コース、中級者コース、初心者コース）の説明等の当該施設における案内情報が記憶されている。
【００２７】
通信部１３は、ゲート装置４と通信を行うための通信手段として機能する。制御部１１は、通信部１３を制御し、ゲート装置４を介して電子チケット２のチケット情報（チケットの有効期限情報等）を受信する。また、ゲート装置４に（ゲート装置４を介して電子チケット２に）対して、各種コマンドおよび案内情報を送信する（詳細は後述する）。
【００２８】
計時部１４は、所謂ＲＴＣ（Real Time Clock）であり、日時をカウントする。認証部１５は、電子チケット２の有効期限（有効期限情報）と、計時部１４により取得した現在日時とに基づいて、当該電子チケット２の正当性を認証する（当該電子チケット２が有効であるか、無効であるかを判定する）。制御部１１は、認証部１５により電子チケット２が有効であると判定された場合、電子チケット２に対して抽選の実行を指示するためのコマンド（以下、「抽選実行コマンド（抽選実行情報）」と称す。）を送信する。一方、電子チケット２が無効であると判定された場合、ゲート装置４に対して当該電子チケット２は無効である旨を示すコマンド（以下、「無効通知コマンド」と称す。）を送信する。ゲート装置４は、当該無効通知コマンドの受信により、アラーム報知を行う。これにより、有効な電子チケット２を所持するユーザにのみに抽選の権利を与えることができる。また、電子チケット２が無効であると判定した場合に、その旨を報知することで、不正な電子チケット２の検出を行うことができる。
【００２９】
ゲート装置４は、リフト乗り場の所定の場所（例えば、リフト乗り場の入口ゲート）に設置されており、チケット用送受信部３１（読み取り手段）、アンテナ３２、通信部３３、報知部３４（報知手段）および各部を制御する制御部３５を備えている。
【００３０】
チケット用送受信部３１は、電子チケット２と通信を行う通信手段として機能する。また、通信部３３は、情報管理サーバ３と通信を行う通信手段として機能する。制御部３５は、電子チケット２が電波送受信エリアに入ると、チケット用送受信部３１を制御し、アンテナ３２を介して当該電子チケット２のチケット情報（有効期限情報）を読み取る。具体的には、制御部３５（ゲート装置４）は、常時、上述のチケット情報を読み取るための読取要求（以下、「チケット情報読取要求」と称す。）を発信しており、電子チケット２（電子チケット２を所持するユーザ）が自身の電波送受信エリアに入ると、制御部３５は、電子チケット２と通信を行い、当該電子チケット２のチケット情報を取得（受信）する。そして、制御部３５は、電子チケット２から読み取ったチケット情報を通信部３３を介して情報管理サーバ３へ送信する。
【００３１】
また、制御部３５は、通信部３３を介して情報管理サーバ３から各種コマンド（抽選実行コマンドや無効通知コマンド）および案内情報を受信する。また、制御部３５は、チケット用送受信部３１を制御し、アンテナ３２を介して当該抽選実行コマンドおよび案内情報を電子チケット２に送信する。
【００３２】
報知部３４は、電子チケット２が無効であることを報知するためのものであり、情報管理サーバ３から無効通知コマンドを受信した場合、アラームを鳴らして、当該電子チケット２が無効である旨を報知する。
【００３３】
電子チケット２は、一般的なＩＣカードと略同一の大きさを有したカード型の媒体であり、通信部４１（情報受信手段、案内情報受信手段）、アンテナ４２、抽選実行部４３（抽選手段）、計時部４４、電源部４５、記憶部４６、表示部４７（表示手段）、操作部４８、および各部を制御する制御部４９を備えている。
【００３４】
通信部４１およびアンテナ４２は、ゲート装置４と通信を行う通信手段として機能する。当該電子チケット２が所定のエリア（ゲート装置４の電波送受信エリア）に入ると、制御部４９は、通信部４１を制御し、アンテナ４２を介してゲート装置４から送信されるチケット情報読取要求を検出（受信）する。そして、この検出をトリガとして、制御部４９は、ゲート装置４に対してチケット情報（有効期限情報）を送信する。また、ゲート装置４から（ゲート装置４を介して情報管理サーバ３から）抽選実行コマンドや案内情報を受信する。
【００３５】
抽選実行部４３は、３桁の数字を生成する。生成方法としては、例えば、乱数発生関数等の既存の乱数発生機能を用いて生成する。なお、本実施形態では、３桁の数字が「７７７」であれば「当選」とし、それ以外は「はずれ」とする。計時部４４は、所謂ＲＴＣ（Real Time Clock）であり、日時をカウントする。本実施形態では、抽選実行部４３による抽選が実行された時刻の取得、あるいは、抽選実行コマンドを受信した時刻の取得に用いられる。電源部４５は、電子チケット２を動作させる電池であり、各部に電源を供給する。
【００３６】
記憶部４６は、書き換え可能、且つ不揮発性のメモリであり、チケット情報記憶部５１、抽選情報記憶部５２（記憶手段）、利用回数記憶部５３およびメッセージ記憶部５４を有している。チケット情報記憶部５１には、チケットの種類およびチケットの有効期限情報が記憶されている。抽選情報記憶部５２には、抽選実行部４３による抽選結果、最後に抽選を実行した時刻（以下、「抽選時刻」と称す。）および抽選結果が「当選」であることを示す情報（以下、「当選情報」と称す。）が記憶されている。利用回数記憶部５３には、ユーザがリフトを利用した回数（利用回数情報）、つまり、ゲート装置４を通過した回数が記憶されている。メッセージ記憶部５４には、抽選結果に応じたメッセージや、リフトの利用回数に応じたメッセージが記憶されている。
【００３７】
なお、リフトの利用回数の更新は、ゲート装置４から前回の抽選実行コマンドを受信してから所定時間を経過した後に抽選実行コマンドを受信したときのみ行われる。つまり、所定時間の間に連続して抽選実行コマンドを受信したとしても、１の抽選実行コマンドのみを有効なコマンドとし、それ以外は無効なコマンドとして無視する。これにより、ユーザがゲート装置４付近を往復した場合でも、誤った利用回数をカウントすることがない。また、リフトの利用回数を記憶することで、企業側は電子チケット２を回収した後、利用回数を集計・分析することが可能となり、経営戦略の参考とすることができる。
【００３８】
表示部４７は、チケット画面４７ａおよび案内情報画面４７ｂを有している。図２に示すように、チケット画面４７ａは、チケット情報表示領域５５、抽選情報表示領域５６およびメッセージ表示領域５７から構成されており、チケット情報表示領域５５には、チケットの種類、チケットの有効期限およびリフトの利用回数が表示される。また、抽選情報表示領域５６には、抽選結果が表示される。そして、メッセージ表示領域５７には、抽選結果またはリフト利用回数に応じたメッセージが表示される。
【００３９】
例えば、図２（ａ）は、抽選結果として「７７７」が表示された様子を示している。この「７７７」は、「当選」を意味しているため、メッセージ表示領域５７には、ユーザに「当選」を通知するためのメッセージ（例えば、「当選おめでとうございます。発券窓口にて景品をお受け取りください。」）が表示される。また、図２（ｂ）は、リフトの利用回数が所定の回数（例えば、５回目、１０回目、２０回目等。同図では、１０回目を示している）になった場合の様子を示している。この場合、メッセージ表示領域５７には、ユーザに対するメッセージ（例えば、注意喚起を促すようなメッセージ）を表示する。このメッセージは、リフトの利用回数に応じて適切な内容のものが表示される。
【００４０】
一方、図３に示すように、案内情報画面４７ｂには、スキー場に関するイベント情報、スキー場内の施設（レストラン等）の混雑情報、およびリフト（あるいは、ゴンドラ等）の運転情報等の案内情報が表示される。これにより、ユーザはこれらスキー場に関する情報を、その場で簡単に確認することができ、利便性が良い。
【００４１】
また、表示部４７は、電子ペーパーで形成されている。このため、表示内容の書き換え時のみ微小電力を必要とするだけで、表示内容を維持するための電力は不要となり、省電力で画面表示を行うことができる。
【００４２】
操作部４８は、チケット画面ボタン４８ａおよび案内情報画面ボタン４８ｂを有し、これらボタン４８ａ、４８ｂを押下することで、表示部４７に表示する画面（チケット画面４７ａおよび案内情報画面４７ｂ）を切り替える。なお、操作部４８は、表示部４７をタッチパネルにすることで、表示部４７と一体に構成するようにしても良いし、あるいは、表示部４７とは別体に構成するようにしても良い。
【００４３】
これらの構成により、電子チケット２（電子チケット２を所持するユーザ）がゲート装置４の電波送受信エリアに入ると、制御部４９は、ゲート装置４を介して情報管理サーバ３から抽選実行コマンドを受信し、これをトリガとして抽選実行部４３により抽選を行う。そして、制御部４９は、チケット情報と共に抽選結果を表示部４７（チケット画面４７ａ）に表示する。
【００４４】
次に、図４のフローチャートを参照して、抽選処理の一連の手順について説明する。まず、ゲート装置４は、電子チケット２のチケット情報（有効期限情報）を読み取るために、常にチケット情報読取要求を送信している（Ｓ０１）。この状態で、電子チケット２（電子チケット２を所持しているユーザ）が、ゲート装置４の電波送受信エリアに入ると、電子チケット２は、ゲート装置４からのチケット情報読取要求を検出（受信）する（Ｓ０２）。電子チケット２は、このチケット情報読取要求の検出（受信）をトリガとして、ゲート装置４に対してチケット情報記憶部５１に記憶された有効期限情報を送信する（Ｓ０３）。
【００４５】
ゲート装置４は、有効期限情報を受信し（Ｓ０４）、これを情報管理サーバ３に送信（転送）する（Ｓ０５）。情報管理サーバ３は、有効期限情報を受信し（Ｓ０６）、当該有効期限情報と現在日時とを比較することにより電子チケット２の認証を行い、当該電子チケット２が有効であるか無効であるかを判定する（Ｓ０７）。電子チケット２が無効である（有効期限が切れている）場合（Ｓ０８；Ｎｏ）、情報管理サーバ３は、ゲート装置４に無効通知コマンドを送信する（Ｓ０９）。ゲート装置４は、無効通知コマンドを受信すると（Ｓ１０）、アラームを鳴らして、当該電子チケット２が無効である旨を報知する（Ｓ１１）。
【００４６】
一方、電子チケット２が有効である（有効期限内である）場合（Ｓ０８；Ｙｅｓ）、情報管理サーバ３は、ゲート装置４に抽選実行コマンドを送信し（Ｓ１２）、ゲート装置４は、当該抽選実行コマンドを受信すると共に（Ｓ１３）、これを電子チケット２に送信する（Ｓ１４）。
【００４７】
電子チケット２は、抽選実行コマンドを受信する（Ｓ１５）。そして、電子チケット２は、当該抽選実行コマンドの受信時刻と抽選情報記憶部５２の抽選時刻とに基づいて、前回の抽選後、所定時間が経過したか否かを判別する（Ｓ１６）。前回の抽選から所定時間経過していない場合（Ｓ１７；Ｎｏ）、電子チケット２は、抽選を実行せず処理を終える。一方、前回の抽選から所定時間経過している場合（Ｓ１７；Ｙｅｓ）、電子チケット２は、現在までに一度でも「当選」したことが有るか否かを判別する。つまり、当選情報が有るか否かを判別する（Ｓ１８）。「当選」したことが有る場合（Ｓ１９；Ｙｅｓ）、電子チケット２は、抽選を実行せずに処理を終える。一方、「当選」したことが無い場合（Ｓ１９；Ｎｏ）、電子チケット２は、当該抽選実行コマンドをトリガとして、抽選実行部４３により抽選を実行する（Ｓ２０）。そして、電子チケット２は、その抽選結果を表示する（Ｓ２１）。
【００４８】
上述のＳ１６以降の処理により、前回の抽選後、所定時間経過しなければ次の抽選を行わないようにすることで、例えば、「当選」が出るまでゲート装置４付近を往復する等して、不正に抽選を実行させることを防止することができる。また、当選情報の有無をチェックすることで、１のユーザが何回も当選することを防止することができる。これにより、ユーザ間で当選回数に開きができることで、不公平感が生じる事を防止することができる。つまり、全てのユーザに対して公平なサービスを提供することができる。
【００４９】
以上のように、本実施形態によれば、情報管理サーバ３から電子チケット２に対して抽選実行コマンド（抽選実行情報)を送信する。電子チケット２は、この抽選実行コマンドの受信をトリガとして抽選を行い、その抽選結果を記録すると共に、表示部４７（チケット画面４７ａ）に表示する。これにより、電子チケット２を所持するユーザがゲート装置４を通過する際、電子チケット２の表示画面に抽選結果を表示することができるため、ユーザはリアルタイムな楽しみを享受することができる。
【００５０】
また、抽選結果が「当選」を示す内容であれば、景品交換や割引券の発行などの特典をつけることで、さらにユーザの興味を惹くことができ、この結果、集客率の向上（リピータの増加等）が期待できる。このように、電子チケット２に抽選機能を設けることで、ユーザ側および企業側のいずれにとっても十分なメリットを見出すことができる。
【００５１】
なお、本実施形態では、抽選結果として、３桁の数字を表示するようにしているが、これに限るものではなく、「当選」／「はずれ」を判別することができる図柄を表示するようにしても良い。
【００５２】
また、電子チケット２から情報管理サーバ３に対して送信するチケット情報として、利用回数記憶部５３のリフトの利用回数、および抽選情報記憶部５２の当選情報を合わせて送信することも可能である。これにより、情報管理サーバ３側でユーザのリフト利用回数を集計し、分析することが可能となり、また、利用回数に対して「当選」がどのくらいの割合で出ているかを把握することが可能となる。
【００５３】
また、当選情報は、電子チケット２の有効期期限内はクリアしない、つまり、有効期限内に１回しか当選できないようにしても良いし、あるいは、有効期限内であっても、当選してから所定時間経過後（例えば、半日毎や１日毎）にクリアするようにするようにしても良い。前者の場合、全てのユーザに対して「当選」が１回となるため、確実に全てのユーザに公平なサービスを提供することができる。一方、後者の場合、複数回の「当選」のチャンスを与えることで、１度当選したユーザに対してもさらに楽しむ機会を与えることができる。
【００５４】
また、本実施形態では、電子チケット２をリフト券として使用することを例に挙げて説明したが、これに限らず、例えば、スキー場、テーマパーク、映画館、各種イベント会場における入場券としても利用可能である。
【００５５】
また、本実施形態では、電子チケット２として、カード型の媒体を例に挙げて説明しているが、これに限らず、携帯電話等の携帯情報端末であっても良い。
【００５６】
また、本実施形態では、電子チケット２側で抽選を行っているが、これに限らず、情報管理サーバ３側で抽選を行い、この抽選結果を電子チケット２に送信するようにしても良い。この場合、情報管理サーバ３に抽選実行部４３を備えることで実現可能となる。
【００５７】
また、上述した実施例によらず、電子チケットシステム１および電子チケット２の装置構成や処理手順について、本発明の要旨を逸脱しない範囲で、適宜変更も可能である。
【図面の簡単な説明】
【００５８】
【図１】本実施形態に係る電子チケットシステムのブロック図である。
【図２】電子チケットにおけるチケット画面の表示内容の一例を説明する図である。
【図３】電子チケットにおける案内情報画面の表示内容の一例を説明する図である。
【図４】電子チケットの抽選処理に関する手順について説明するフローチャートである。
【符号の説明】
【００５９】
１…電子チケットシステム  ２…電子チケット  ３…情報管理サーバ  ４…ゲート装置  １３…通信部  １５…認証部  ３４…報知部  ４１…通信部  ４３…抽選実行部  ４６…記憶部  ４７…表示部  ４７ａ…チケット画面  ４７ｂ…案内情報画面  ５１…チケット情報記憶部  ５２…抽選情報記憶部  ５３…利用回数記憶部
【図１】
2009271688.tif 000003
【図２】
2009271688.tif 000004
【図３】
2009271688.tif 000005
【図４】
2009271688.tif 000006